(57)【要約】【課題】天然ガスを主成分とするガスに限るものの、その他の条件の如何にかかわらず、必要最小限の空気パージを行うだけで済むガス供給設備の空気パージ方法。【解決手段】集合住宅Ｍの住戸Ｍ１〜Ｍ１２に対して、主管１と主管１に接続の引込管２、引込管２に接続の共用立管３、共用立管３からの分岐管４を介して天然ガスを主成分とするガスを供給するガス供給設備において、管の切断工事を実施した後に、その管の切断箇所Ａより下流側の管内に混入した空気を抜いてガスに置換する空気パージを実施するガス供給設備の空気パージ方法で、管の切断箇所Ａを基準点として、その基準点Ａから高さ方向に２．５ｍ以上下流側で最も近くに位置する分岐部分においてのみ空気パージを実施する方法、および、基準点Ａから２．５ｍ以上下流側で最も近くに位置する第一分岐部分と第一分岐部分より上流側の第二分岐部分において空気パージを実施する方法。【選択図】        図１
2005069346.tif 000002
【特許請求の範囲】
【請求項１】
複数階の集合住宅を構成する複数の住戸のそれぞれに対して、地中に埋設された主管と主管に接続の引込管、その引込管に接続の共用立管、および、前記共用立管から分岐の分岐管を介して天然ガスを主成分とするガスを供給するガス供給設備において、前記共用立管より上流側で管の切断工事を実施した後に、その管の切断箇所より下流側の管内に混入した空気を抜いて前記ガスに置換する空気パージを実施するガス供給設備の空気パージ方法であって、
前記管の切断箇所を基準点として、その基準点から高さ方向に２．５ｍ以上下流側で最も近くに位置する分岐部分においてのみ空気パージを実施するガス供給設備の空気パージ方法。
【請求項２】
前記基準点から下流側の共用立管の全長をＬｍとして、前記基準点から高さ方向に｛２．５＋Ｌ×（２．３／１００）｝ｍ以上下流側で最も近くに位置する分岐部分においてのみ空気パージを実施する請求項１に記載のガス供給設備の空気パージ方法。
【請求項３】
前記基準点が地上に位置する場合に、前記集合住宅の２階以上の住戸の分岐部分においてのみ空気パージを実施する請求項１または２に記載のガス供給設備の空気パージ方法。
【請求項４】
複数階の集合住宅を構成する複数の住戸のそれぞれに対して、地中に埋設された主管と主管に接続の引込管、その引込管に接続の共用立管、および、前記共用立管から分岐の分岐管を介して天然ガスを主成分とするガスを供給するガス供給設備において、前記共用立管より上流側で管の切断工事を実施した後に、その管の切断箇所より下流側の管内に混入した空気を抜いて前記ガスに置換する空気パージを実施するガス供給設備の空気パージ方法であって、
前記管の切断箇所を基準点として、その基準点から高さ方向に２．５ｍ以上下流側で最も近くに位置する第一分岐部分、および、その第一分岐部分より上流側に位置する第二分岐部分において空気パージを実施するガス供給設備の空気パージ方法。
【請求項５】
前記基準点が地上に位置する場合に、前記集合住宅の２階の住戸における分岐部分を前記第一分岐部分とし、１階の住戸における分岐部分を前記第二分岐部分として空気パージを実施する請求項４に記載のガス供給設備の空気パージ方法。
【請求項６】
前記天然ガスを主成分とするガスが１３Ａである請求項１〜５のいずれか１項に記載のガス供給設備の空気パージ方法。
【発明の詳細な説明】
【技術分野】
【０００１】
本発明は、複数階の集合住宅を構成する複数の住戸のそれぞれに対して、地中に埋設された主管と主管に接続の引込管、その引込管に接続の共用立管、および、前記共用立管から分岐の分岐管を介して天然ガスを主成分とするガスを供給するガス供給設備において、前記共用立管より上流側で管の切断工事を実施した後に、その管の切断箇所より下流側の管内に混入した空気を抜いて前記ガスに置換する空気パージを実施するガス供給設備の空気パージ方法に関する。
【背景技術】
【０００２】
この種の空気パージ方法としては、従来、引込管の取り換え工事において、工事完了後に共用立管の最上流側に位置するガスメータ部分、つまり、１階の住戸に対して設置されたガスメータ部分だけで空気パージを行うことにより、２階以上の住戸に対して設置されたガスメータ部分での空気パージを不用とする方法が提案されている（例えば、特許文献１参照）。
【０００３】
【特許文献１】特開２００２−３６４７７６号公報
【発明の開示】
【発明が解決しようとする課題】
【０００４】
しかし、上記公報に記載の方法では、集合住宅に対するガス供給設備の配管上の差異や工事の状況、更には、供給するガスの種類などに関係なく、一律に１階のガスメータ部分だけで空気パージを行って、２階以上のガスメータ部分における空気パージを不用にするものであり、その実効性に関して疑問が残る。
すなわち、集合住宅の構造や立地条件などにより、ガス供給設備には種々異なる配管構成のものが存在し、したがって、引込管の取り換え工事とは言え、常に同じ条件下において同じ箇所で既存の管を切断するとは限らず、また、供給するガスについても、各種都市ガスやプロパンガスなど、対空気比重の異なるものが多数存在する。
それらの差異を無視して、一律に１階のガスメータ部分だけで空気パージし、他の箇所での空気パージを不用とするのは、ある特定の条件下において可能ではあっても、あらゆる条件下で適用可能であるとは言い切れないおそれがある。
【０００５】
本発明は、このような従来の問題点に着目したもので、その目的は、天然ガスを主成分とするガスに限るものの、その他の条件の如何にかかわらず、必要最小限の空気パージを行うだけで済むガス供給設備の空気パージ方法を提供することにある。
【課題を解決するための手段】
【０００６】
本発明の第１の特徴構成は、複数階の集合住宅を構成する複数の住戸のそれぞれに対して、地中に埋設された主管と主管に接続の引込管、その引込管に接続の共用立管、および、前記共用立管から分岐の分岐管を介して天然ガスを主成分とするガスを供給するガス供給設備において、前記共用立管より上流側で管の切断工事を実施した後に、その管の切断箇所より下流側の管内に混入した空気を抜いて前記ガスに置換する空気パージを実施するガス供給設備の空気パージ方法であって、前記管の切断箇所を基準点として、その基準点から高さ方向に２．５ｍ以上下流側で最も近くに位置する分岐部分においてのみ空気パージを実施するところにある。
【０００７】
本発明の第１の特徴構成によれば、天然ガスを主成分とするガスを供給するガス供給設備において、共用立管より上流側で管の切断工事を実施した後、その切断工事における管の切断箇所を基準点として、その基準点から高さ方向に２．５ｍ以上下流側で最も近くに位置する分岐部分においてのみ空気パージを実施するので、対象となるガスが天然ガスを主成分とするガスに限られるものの、後に詳しく説明するように、そのガスに対する混入空気の上昇が、主としてガスに対する空気の拡散によるものであるとの新知見に基づいて、他の条件の如何にかかわらず、上述した分岐部分における空気パージのみで済み、管の切断工事後における空気パージを必要最小限で済ませることができる。
【０００８】
本発明の第２の特徴構成は、前記基準点から下流側の共用立管の全長をＬｍとして、前記基準点から高さ方向に｛２．５＋Ｌ×（２．３／１００）｝ｍ以上下流側で最も近くに位置する分岐部分においてのみ空気パージを実施するところにある。
【０００９】
本発明の第２の特徴構成によれば、前記基準点から下流側の共用立管の全長をＬｍとして、その基準点から高さ方向に｛２．５＋Ｌ×（２．３／１００）｝ｍ以上下流側で最も近くに位置する分岐部分においてのみ空気パージを実施するので、たとえ集合住宅が高層で共用立管が極端に長い場合であっても、その長い共用立管による空気拡散への影響も加味した状態で、空気パージを必要最小限で済ませることが可能となる。
【００１０】
本発明の第３の特徴構成は、前記基準点が地上に位置する場合に、前記集合住宅の２階以上の住戸の分岐部分においてのみ空気パージを実施するところにある。
【００１１】
本発明の第３の特徴構成によれば、前記基準点が地上に位置する場合に、集合住宅の２階以上の住戸の分岐部分においてのみ空気パージを実施するので、通常の条件下においては、少なくとも上述した第１や第２の特徴構成を満たすことができ、したがって、空気パージの実施対象となる分岐部分を容易に特定することができる。
【００１２】
本発明の第４の特徴構成は、複数階の集合住宅を構成する複数の住戸のそれぞれに対して、地中に埋設された主管と主管に接続の引込管、その引込管に接続の共用立管、および、前記共用立管から分岐の分岐管を介して天然ガスを主成分とするガスを供給するガス供給設備において、前記共用立管より上流側で管の切断工事を実施した後に、その管の切断箇所より下流側の管内に混入した空気を抜いて前記ガスに置換する空気パージを実施するガス供給設備の空気パージ方法であって、前記管の切断箇所を基準点として、その基準点から高さ方向に２．５ｍ以上下流側で最も近くに位置する第一分岐部分、および、その第一分岐部分より上流側に位置する第二分岐部分において空気パージを実施するところにある。
【００１３】
本発明の第４の特徴構成によれば、天然ガスを主成分とするガスを供給するガス供給設備において、共用立管より上流側で管の切断工事を実施した後、その切断工事における管の切断箇所を基準点として、その基準点から高さ方向に２．５ｍ以上下流側で最も近くに位置する第一分岐部分、および、その第一分岐部分より上流側に位置する第二分岐部分において空気パージを実施するので、対象となるガスが天然ガスを主成分とするガスに限られるものの、後に詳しく説明するように、そのガスに対する混入空気の上昇が、主としてガスに対する空気の拡散によるものであるとの新知見に基づいて、他の条件の如何にかかわらず、上述した第一と第二の分岐部分における空気パージのみで済み、管の切断工事後における空気パージを必要最小限で済ませることができる。
【００１４】
本発明の第５の特徴構成は、前記基準点が地上に位置する場合に、前記集合住宅の２階の住戸における分岐部分を前記第一分岐部分とし、１階の住戸における分岐部分を前記第二分岐部分として空気パージを実施するところにある。
【００１５】
本発明の第５の特徴構成によれば、前記基準点が地上に位置する場合に、集合住宅の２階の住戸における分岐部分を第一分岐部分とし、１階の住戸における分岐部分を第二分岐部分として空気パージを実施するので、通常の条件下においては、少なくとも上述した第４の特徴構成を満たすことができ、したがって、空気パージの実施対象となる第一と第二の分岐部分を容易に特定することができる。
【００１６】
本発明の第６の特徴構成は、前記天然ガスを主成分とするガスが１３Ａである。
【００１７】
本発明の第６の特徴構成によれば、天然ガスを主成分とするガスが１３Ａ、つまり、実際に都市ガスとして多用されている１３Ａを対象とするので、現存する多数の集合住宅のガス供給設備において、本発明による空気パージ方法をそのまま適用することができる。
【発明を実施するための最良の形態】
【００１８】
本発明によるガス供給設備の空気パージ方法につき、その実施の形態を図面に基づいて説明する。
この空気パージ方法は、図１に示すように、マンションや公営住宅のような複数階からなる集合住宅へのガス供給設備において実施するもので、例えば、３階建てのマンションＭで各階に４戸の住戸、つまり、１階に住戸Ｍ１〜Ｍ４、２階に住戸Ｍ５〜Ｍ８、３階に住戸Ｍ９〜Ｍ１２がある場合、各住戸Ｍ１〜Ｍ１２には、地中に埋設された主管１、主管１に接続されて地中に埋設された引込管２、引込管２に接続された２本の共用立管３、各共用立管３から分岐された合計１２本の分岐管４を介して、天然ガスを主成分とするガスの一例である１３Ａが供給され、各分岐管４にはガスメータＧＭがそれぞれ取り付けられている。
【００１９】
このマンションＭへのガス供給設備において、例えば、引込管２の取り換え工事を実施する場合、共用立管３より上流側（共用立管３を含む）である共用立管３の上流側端部近傍Ａと引込管２の上流側端部近傍Ｂとで管２，３を切断して新たな引込管２に取り換えることになる。
このような管の切断を伴う工事においては、通常、既設管の切断時と新管への接続作業時において、切断箇所Ａが６０分以上にわたって大気中に開口され、その間に切断箇所Ａより下流側の両共用立管３内に空気が混入して上昇し、配管の構造によっては、１階の住戸Ｍ１〜Ｍ４の分岐管４内にも空気が混入することがある。
本発明者は、このガスに対する混入空気の上昇メカニズムにつき、各種の実験を繰り返してその解明を試みた結果、共用立管３内のガスに対する空気の上昇は、主としてガスに対する空気の拡散によるものであることを究明し、そのガスが天然ガスを主成分とするガスであれば、６０分程度開口させた場合、その開口箇所からの上昇距離が２．５ｍ未満であるとの新知見を得た。
【００２０】
さらに、この新知見の有効性を確認するべく、実際の工事に即した状態で確認実験を行ったので、その結果について言及する。
実験は、図２に示すように、地表面を基準として１階の床面が１．０ｍ、２階の床面が３．５ｍ、３階の床面が６．０ｍであり、供給ガスは１３Ａであった。
共用立管３を地表面近傍Ａで切断し、その後、新管の接続作業を実施し、１８０分にわたって切断箇所Ａを閉塞した。
その間、主として既設管の切断時と新管への接続作業時において、共用立管３の切断箇所Ａは、合計で６０分間にわたって大気に開口されていた。
【００２１】
そして、新管の接続作業完了後において、共用立管３内における１３Ａの濃度を測定したところ、図２に記載の値となった。
すなわち、切断箇所Ａを基準点として、その基準点Ａから共用立管３に沿って高さ方向に１．５ｍ下流側では９４．５％、２．０ｍ下流側では９８．８％の濃度であったが、２．５ｍ下流側では１００％であり、それ以上下流側では全て１００％であった。
この結果から、供給ガスが１３Ａであれば、６０分開口させた後、１８０分閉塞させた場合、その開口箇所からの上昇距離が２．５ｍ未満であることが確認された。
【００２２】
ただし、以上の結論は３階の床面が６．０ｍの３階建てマンションＭの場合であり、共用立管３の長さが長くなるにしたがって、ガスに対する混入空気の上昇高さが高くなることも判明した。
この点について究明したところ、上述した２．５ｍに加えて共用立管３の全長の２．３％だけ上昇高さが高くなることが明らかとなった。
つまり、６０分開口させた場合、混入空気の上昇高さは、共用立管３の全長をＬｍとして｛２．５＋Ｌ×（２．３／１００）｝ｍとなることが明らかとなった。
したがって、基準点Ａから下流側の共用立管３の全長をＬｍとして、基準点Ａから高さ方向に｛２．５＋Ｌ×（２．３／１００）｝ｍ以上下流側で最も近くに位置するガスメータＧＭ部分においてのみ空気パージを実施すれば、たとえ高層のマンションＭであっても十分であることが判明した。
【００２３】
以上のような新知見によれば、図１に示したマンションＭの場合、切断箇所Ａから高さ方向に２．５ｍ以上下流側で最も近くに位置するガスメータＧＭ部分、具体的には、２階の住戸Ｍ５またはＭ６と住戸Ｍ７またはＭ８への分岐管４に設けられたガスメータＧＭ部分においてのみ空気パージを実施すればよいことになる。
【００２４】
さらに、配管の構造によっては、上述したように、１階の住戸Ｍ１〜Ｍ４の分岐管４内にも空気が混入している場合があり、そのような可能性のある場合には、切断箇所Ａから高さ方向に２．５ｍ以上下流側で最も近くに位置するガスメータＧＭ部分、具体的には、２階の住戸Ｍ５またはＭ６と住戸Ｍ７またはＭ８への分岐管４に設けられたガスメータＧＭ部分を第一のパージ部分とし、その第一のパージ部分より上流側に位置するガスメータ部分ＧＭ、具体的には、１階の住戸Ｍ１またはＭ２と住戸Ｍ３またはＭ４への分岐管４に設けられたガスメータ部分ＧＭを第二のパージ部分として空気パージを実施すればよいことになる。
【００２５】
その場合、空気パージの順番は不問で、２階の住戸Ｍ５またはＭ６と住戸Ｍ７またはＭ８のガスメータＧＭ部分において空気パージを実施した後、１階の住戸Ｍ１またはＭ２と住戸Ｍ３またはＭ４のガスメータＧＭ部分において空気パージを実施することも、逆に、１階の住戸Ｍ１またはＭ２と住戸Ｍ３またはＭ４のガスメータＧＭ部分において空気パージを実施した後、２階の住戸Ｍ５またはＭ６と住戸Ｍ７またはＭ８のガスメータＧＭ部分において空気パージを実施することも可能であり、さらに、１階のガスメータＧＭ部分と２階のガスメータＧＭ部分における空気パージを同時に実施することも可能である。
【００２６】
なお、空気パージを実施する箇所は、特にガスメータＧＭ部分に限るものではなく、例えば、共用立管３からの分岐管４、あるいは、分岐管４の特定箇所において空気パージを実施することもできる。
したがって、本明細書においては、共用立管３からの分岐管４、ガスメータＧＭ部分、および、屋内側配管部分などを含めて「分岐部分」と総称する。
【図面の簡単な説明】
【００２７】
【図１】実験に用いたガス供給設備の概略図
【図２】実験結果を示す説明図
【符号の説明】
【００２８】
１            主管
２            引込管
３            共用立管
４            分岐管
Ａ            基準点となる切断箇所
ＧＭ          ガスメータ
Ｍ            集合住宅
Ｍ１〜Ｍ１２  住戸
【図１】
2005069346.tif 000003
【図２】
2005069346.tif 000004